(57)【特許請求の範囲】
【請求項１】
机や台の上、壁面、各種乗り物の内部を含むタブレット型コンピュータを設置しようとする各所の設置面に備え付ける各種形式の支持装置に台座として取り付けられ、タブレット型コンピュータを支持するためのタブレット型コンピュータ用支持ホルダであって、
前面に、タブレット型コンピュータの背面に対して当接可能な支持面を有し、後面に、平面形状の取付部及び左右両側の支持固定部からなる取付部材が設けられて、前記取付部材を介して前記支持装置に取り付けられる背面支持部材と、
前記背面支持部材の上下両側部にそれぞれ前方に向けて断面略Ｌ字形に突出し、タブレット型コンピュータの上下両側部を抱持可能に形成され、少なくとも一方は、前記背面支持部材の後面で前記取付部材内にガイド部材を介して上下方向に移動可能に配設されるスライド部材の上部又は下部に設けられて上下方向に進退可能な可動式で、タブレット型コンピュータの上側部又は下側部を抱持可能な位置と当該位置から離間する位置との間を進退可能に取り付けられる上下両側部抱持部材と、
前記背面支持部材の左右両側部にそれぞれ前方に向けて断面略直線形に突出し、タブレット型コンピュータの左右両側部に当接支持可能に形成され、少なくとも一方は可動式で他方との間の間隔を調整可能に前記背面支持部材の一方の側部に外側に向けて変位可能に取り付けられる左右両側部支持部材と、
前記スライド部材の後面に設けられ、上下方向に波形形状部を有するスライド係合部材と、
前記取付部材に取り付けるための取付ベース、前記取付ベースの下端から略Ｊ字形又は略Ｌ字形に突出し、前記取付ベースに向けて傾動可能なばね作用を有するアーム、及び前記アームの前記取付ベースとは反対側の面に凸状に形成される係止突起を有し、前記取付ベースにより前記取付部材の前記取付部の内面に前記スライド部材のスライド係合部材に対向して取り付けられ、前記係止突起が前記スライド係合部材の前記波形形状部に係合されるストッパー部材と、
前記取付部材の外側に錠前ユニットの鍵穴が表出され、前記ストッパー部材の前記取付ベースと前記アームとの間に挿脱可能に錠前ユニットのロックプレートが配置されて、前記取付部材に装着され、前記鍵穴に鍵を差し込み、施錠方向に回す操作により、前記ロックプレートが前記ストッパー部材の前記取付ベースと前記アームとの間に挿入され、前記アームの傾動を規制して前記可動式の側部抱持部材の上下方向の動きをロックし、前記鍵を解錠方向に回す操作により、前記ロックプレートが前記取付ベースと前記アームとの間から離脱し、前記アームの傾動規制を解除して前記可動式の側部抱持部材のロックを解除する形式の錠前ユニットと、
を備え、
前記背面支持部材が前記支持面を任意の方向に向けて前記支持装置に取り付けられ、タブレット型コンピュータを前記支持面上に前記上下両側部抱持部材及び前記左右両側部支持部材により支持固定し、
前記錠前ユニットにより、前記可動式の側部抱持部材を、タブレット型コンピュータの上側部又は下側部を抱持可能な位置でロックすることにより、タブレット型コンピュータを前記背面支持部材から取り外しできないようにした、
ことを特徴とするタブレット型コンピュータ用支持ホルダ。
【請求項２】
背面支持部材と当該背面支持部材の上下両側部から突出される上下両側部抱持部材との間隔はタブレット型コンピュータに用いる各種の保護カバーの厚さを含んでタブレット型コンピュータの厚さよりも大きく設定され、タブレット型コンピュータを直接支持するときの前記間隔を調整するため、前記背面支持部材の支持面に、前記支持面とタブレット型コンピュータの背面との間に介在させる間隔調整部材を着脱可能に備える請求項１に記載のタブレット型コンピュータ用支持ホルダ。
【請求項３】
請求項１又は２に記載のタブレット型コンピュータ用支持ホルダを備えることを特徴とする支持装置。
【発明の詳細な説明】
【技術分野】
【０００１】
本発明は、オフィス、工場、学校、家庭などで机や台の上又は壁面、また、自動車他各種乗り物の内部などタブレット型コンピュータを設置しようとする各所の設置面に設置する各種形式の支持装置に台座として取り付けられ、タブレット型コンピュータを支持するのに使用するタブレット型コンピュータ用支持ホルダ及びこれを備えた支持装置に関する。
【背景技術】
【０００２】
近年、コンピュータの小型化技術や液晶などを利用した表示装置の小型化技術の進展により、ノート型コンピュータ、パーソナルデジタルアシスタント（ＰＤＡ）、携帯電話などの携帯型電子機器が幅広く普及されており、近時はさらに、液晶表示装置と入力手段とを組み合わせて、一層の小型化を図ったタブレット型コンピュータが登場している。このタブレット型コンピュータは小型、軽量で、携帯利便性に優れているだけでなく、タブレット型表示装置としての液晶パネルにタッチパネル機能を付加して、キーボードなどを使わずに情報を入力することができ、文字入力などの主な情報入力をタッチパネルを介して行うために、コンピュータ本体の大きさや形状の自由度が大きく、ディスプレイ表示の閲覧性に優れているという利点がある。このようなタブレット型コンピュータの特長から、タブレット型コンピュータは常時持ち歩き、行く先々で使用されるのみならず、その有する情報処理能力から、時として、例えばデスクトップ型コンピュータのように一箇所に設置して、デスクトップ型コンピュータの代用品として使用することもできる。
【０００３】
ところで、このようなタブレット型コンピュータを例えばデスクトップ型コンピュータのようにオフィス、工場、学校、家庭などで机や台の上又は壁面上、さらに自動車を含む各種乗り物の内部など各所の所定の位置に設置しようとする場合、タブレット型コンピュータを支持装置により設置し、タブレット型コンピュータを使用するときにこのコンピュータを机や台の上の所定の位置あるいは壁面上の所定の位置に配置し、使用しないときはこのコンピュータを当該所定の位置から離れて邪魔にならない適宜の位置に移動できるようにすることが好ましい。この種の支持装置が特許文献１により提案されている。
この文献１の支持装置は、取付状態で天板上に立設される基部シャフトと、ノート型パソコンなどの機器を搭載可能な機器載置台と、載置台に基部シャフトと平行になる状態に立設される可動シャフトと、可動シャフトと基部シャフトとの間に配設されるパンタグラフ機構とを具備し、ノート型パソコンなどの機器を搭載した機器載置台を、不使用時には机上のスペースを有効利用可能な後退位置に上げて格納し、使用時に機器を操作し易い机上面に引出し下降させるようになっている。
【先行技術文献】
【特許文献】
【０００４】
【特許文献１】特開２００３−６７０８４公報
【発明の概要】
【発明が解決しようとする課題】
【０００５】
しかしながら、上記従来の支持装置では、機器載置台が主台と、主台の左右両側に配設される左右両側位置決め台と、主台の前側に配設される前側位置決め台とを備え、全体が平面形状に形成されるため、タブレット型コンピュータのような薄形の平板形状の機器の場合、表示面を上向きにして載せる他なく、このような上向きの表示面では表示面が見えにくく、また、タッチパネルの操作も行いにくいという問題がある。
【０００６】
本発明は、このような従来の問題を解決するもので、オフィス、工場、学校、家庭などで机や台の上又は壁面、また、自動車他各種乗り物の内部を含む各所の設置面に備え付ける各種形式の支持装置に台座として取り付けて、当該設置面上にタブレット型コンピュータを、このコンピュータの表示面をユーザが見やすく、タッチパネルの操作も行いやすい任意の方向に向けて設置することのできるタブレット型コンピュータ用支持ホルダ及びこれを備えた支持装置を提供すること、を目的とする。
【課題を解決するための手段】
【０００７】
上記目的を達成するために、本発明は、
机や台の上、壁面、各種乗り物の内部を含むタブレット型コンピュータを設置しようとする各所の設置面に備え付ける各種形式の支持装置に台座として取り付けられ、タブレット型コンピュータを支持するためのタブレット型コンピュータ用支持ホルダであって、
前面に、タブレット型コンピュータの背面に対して当接可能な支持面を有し、後面に、平面形状の取付部及び左右両側の支持固定部からなる取付部材が設けられて、前記取付部材を介して前記支持装置に取り付けられる背面支持部材と、
前記背面支持部材の上下両側部にそれぞれ前方に向けて断面略Ｌ字形に突出し、タブレット型コンピュータの上下両側部を抱持可能に形成され、少なくとも一方は、前記背面支持部材の後面で前記取付部材内にガイド部材を介して上下方向に移動可能に配設されるスライド部材の上部又は下部に設けられて上下方向に進退可能な可動式で、タブレット型コンピュータの上側部又は下側部を抱持可能な位置と当該位置から離間する位置との間を進退可能に取り付けられる上下両側部抱持部材と、
前記背面支持部材の左右両側部にそれぞれ前方に向けて断面略直線形に突出し、タブレット型コンピュータの左右両側部に当接支持可能に形成され、少なくとも一方は可動式で他方との間の間隔を調整可能に前記背面支持部材の一方の側部に外側に向けて変位可能に取り付けられる左右両側部支持部材と、
前記スライド部材の後面に設けられ、上下方向に波形形状部を有するスライド係合部材と、
前記取付部材に取り付けるための取付ベース、前記取付ベースの下端から略Ｊ字形又は略Ｌ字形に突出し、前記取付ベースに向けて傾動可能なばね作用を有するアーム、及び前記アームの前記取付ベースとは反対側の面に凸状に形成される係止突起を有し、前記取付ベースにより前記取付部材の前記取付部の内面に前記スライド部材のスライド係合部材に対向して取り付けられ、前記係止突起が前記スライド係合部材の前記波形形状部に係合されるストッパー部材と、
前記取付部材の外側に錠前ユニットの鍵穴が表出され、前記ストッパー部材の前記取付ベースと前記アームとの間に挿脱可能に錠前ユニットのロックプレートが配置されて、前記取付部材に装着され、前記鍵穴に鍵を差し込み、施錠方向に回す操作により、前記ロックプレートが前記ストッパー部材の前記取付ベースと前記アームとの間に挿入され、前記アームの傾動を規制して前記可動式の側部抱持部材の上下方向の動きをロックし、前記鍵を解錠方向に回す操作により、前記ロックプレートが前記取付ベースと前記アームとの間から離脱し、前記アームの傾動規制を解除して前記可動式の側部抱持部材のロックを解除する形式の錠前ユニットと、
を備え、
前記背面支持部材が前記支持面を任意の方向に向けて前記支持装置に取り付けられ、タブレット型コンピュータを前記支持面上に前記上下両側部抱持部材及び前記左右両側部支持部材により支持固定し、
前記錠前ユニットにより、前記可動式の側部抱持部材を、タブレット型コンピュータの上側部又は下側部を抱持可能な位置でロックすることにより、タブレット型コンピュータを前記背面支持部材から取り外しできないようにした、
ことを要旨とする。
この場合、背面支持部材と当該背面支持部材の上下両側部から突出される上下両側部抱持部材との間隔はタブレット型コンピュータに用いる各種の保護カバーの厚さを含んでタブレット型コンピュータの厚さよりも大きく設定され、タブレット型コンピュータを直接支持するときの前記間隔を調整するため、前記背面支持部材の支持面に、前記支持面とタブレット型コンピュータの背面との間に介在させる間隔調整部材を着脱可能に備えることが好ましい。
また、上記目的を達成するために、本発明の支持装置は、上記に記載のタブレット型コンピュータ用支持ホルダを備えることを要旨とする。
【発明の効果】
【０００８】
本発明のタブレット型コンピュータ用支持ホルダ及びこれを備えた支持装置によれば、上記の構成により、背面支持部材が支持面を任意の方向に向けて支持装置に取り付けられ、タブレット型コンピュータを支持面上に上下両側部抱持部材及び左右両側部支持部材により支持固定するようにしたので、オフィス、工場、学校、家庭などで机や台の上又は壁面、また、自動車他各種乗り物の内部を含むタブレット型コンピュータを設置しようとする各所の設置面に備え付ける各種形式の支持装置に台座として取り付けて、当該設置面上にタブレット型コンピュータを、このコンピュータの表示面をユーザが見やすく、タッチパネルの操作も行いやすい任意の方向に向けて設置することができる。そして、この場合、可動式の支持装置を採用することにより、タブレット型コンピュータを使用するときにこのコンピュータを机や台の上又は壁面上、また各種乗り物内などの所定の位置にコンピュータの表示面をユーザの使いやすい所定の方向に向けて配置することができ、使用しないときはこのコンピュータを当該所定の位置から離れて邪魔にならない適宜の位置に移動することができる。
また、このタブレット型コンピュータ用支持ホルダ及びこれを備えた支持装置によれば、可動式の側部抱持部材の上下方向の動きをロックする錠前ユニットを備え、この錠前ユニットにより、可動式の側部抱持部材を、タブレット型コンピュータの上側部又は下側部を抱持可能な位置でロックすることにより、タブレット型コンピュータを背面支持部材から取り外しできないようにしたので、タブレット型コンピュータを支持ホルダにセットしたまま放置していても、タブレット型コンピュータを支持ホルダから取り外すことができないため、ユーザ同士の錯誤によるコンピュータの取り違いやコンピュータの盗難を確実に防止することができる。
【図面の簡単な説明】
【０００９】
【図１】本発明の一実施の形態におけるタブレット型コンピュータ用支持ホルダを示す斜視図
【図２】同支持ホルダの構成を示す図（（ａ）は底面図（ｂ）は正面図（ｃ）は側面図）
【図３】同支持ホルダに備えるストッパー部材を施錠部材の一部とともに示す側面断面図
【図４】同支持ホルダに備える上側部抱持部材及びスライド部材を示す図（（ａ）は斜視図（ｂ）は断面図）
【図５】同支持ホルダに備える左右両側部支持部材の回動アームと支持アームの取付構造を示す平面断面図
【図６】同支持ホルダに備える間隔調整部材を示す図（（ａ）は平面図（ｂ）は側面図）
【図７】同支持ホルダの使用例として、同支持ホルダにタブレット型コンピュータを保護カバーに入れたままセットする場合の態様を示す斜視図
【図８】同支持ホルダの使用例として、同支持ホルダにタブレット型コンピュータに保護カバーを用いず、タブレット型コンピュータそれ自体を直接セットする場合の態様を示す斜視図
【発明を実施するための形態】
【００１０】
次に、この発明を実施するための形態について図を用いて説明する。図１にタブレット型コンピュータ用支持ホルダの全体構成を示し、図２乃至図６にこの支持ホルダの各部の構成を示している。図１に示すように、タブレット型コンピュータ用支持ホルダ１は、机や台の上又は壁面上、さらに各種乗り物の内部（室内）を含むタブレット型コンピュータを設置しようとする各所の設置面に備え付ける各種形式の支持装置に、タブレット型コンピュータを支持固定する台座として取り付けられ、タブレット型コンピュータの背面に対して当接可能な支持面１１を有し、支持装置に取り付けられる背面支持部材１０と、背面支持部材１０の上下両側部にそれぞれ前方に向けて断面略Ｌ字形に突出し、タブレット型コンピュータの上下両側部を抱持可能に形成され、少なくとも一方はタブレット型コンピュータの上側部又は下側部を抱持可能な位置と当該位置から離間する位置との間を進退可能な可動式の側部抱持部材２０Ｍとして背面支持部材１０の一方の側部に取り付けられる上下両側部抱持部材２０と、背面支持部材１０の左右両側部にそれぞれ前方に向けて断面略直線形に突出し、タブレット型コンピュータの左右両側部に当接支持可能に形成され、少なくとも一方は他方との間の間隔を調整可能に背面支持部材１０の一方の側部に外側に向けて変位可能な可動式の側部支持部材３０Ｍとして背面支持部材１０の一方の側部に取り付けられる左右両側部支持部材３０とを備えて構成される。
【００１１】
この実施の形態では、支持ホルダ１は各部がステンレスなどの金属材により形成され、次のような構成を備える。
【００１２】
図２に示すように、背面支持部材１０は一般的なサイズのタブレット型コンピュータの背面に当接可能に当該背面よりも少し小さい略長方形の平板に形成され、この平板の後面に取付部材１２０が形成されて、前面がタブレット型コンピュータの背面に対する支持面１１で、後面側がこの背面支持部材１０を支持装置に取り付けるための取付面１２になっている。この場合、この平板の中央に円形の穴１３０と当該穴１３０の上下縁部に上下方向に切り込まれる溝１３１とからなる係止穴１３が穿たれて、この係止穴１３により支持面１１に後述する間隔調整部材４０が固定可能になっている。また、この平板の後面側の取付部材１２０は水平断面が略ハット形に形成されて、背面支持部材１０の取付面１２よりも小さい略矩形の平面形状からなり、当該平面の左右両側の上下所定の位置に支持装置と結合するためのねじ挿通穴を有する取付部１２１と、この取付部１２１の左右両側部にそれぞれ略直角に延びる断面略Ｌ字形形状からなり、取付部１２１に対して直角の各面の下部側の所定の範囲に開口１２３を有する一対の支持固定部１２２とを有する。また、この取付部材１２０には、後述するスライド部材１６に係合可能なストッパー部材１４と、後述する上側部抱持部材の動きを規制する施錠部材１５が設けられる。
ストッパー部材１４はプラスチック材により形成され、図３に示すように、上下方向に長い略長方形の取付ベース１４１と、この取付ベース１４１の下端から略Ｊ字形又は略Ｌ字形に突出され、取付ベース１４１に向けて傾動可能なばね作用を有するアーム１４２と、このアーム１４２の取付ベース１４１とは反対側の面で上部側に凸状に形成される係止突起１４３とを有する。このストッパー部材１４は取付部材１２０の内面中央の上部側に後述するスライド部材１６のストッパー係合部材１７に対向可能にねじなどにより取り付けられる。施錠部材１５は、図２に示すように、少なくとも上下両側部抱持部材２０の可動式の側部抱持部材２０Ｍが背面支持部材１０の上部又は下部から前方に向けて突出され、タブレット型コンピュータの上側部を抱持可能な位置で、側部抱持部材２０Ｍの動きを規制して施錠するもので、この場合、正面の鍵穴１５０に鍵を差し込み、回すことにより、ロータを回転し、これに連動してロックプレート１５１をロック位置とアンロック位置との間で進退させる構造の錠前ユニットが採用され、この錠前ユニット１５は取付部材１２０にストッパー部材１４に近接して、鍵穴１５０を取付部材１２０の外側に表出して装着される。このようにして鍵を錠前ユニット１５の鍵穴１５０に差し込み所定の方向に回すことにより、図３に示すように、ロックプレート１５１がストッパー部材１４の取付ベース１４１とアーム１４２との間に挿入され、アーム１４２の前後方向の動きを規制してロックし、鍵をその反対に回すことにより、ロックプレート１５１をストッパー部材１４の取付ベース１４１とアーム１４２との間から離脱して、アーム１４２のロックを解除するようになっている。
【００１３】
図２に示すように、上下両側部抱持部材２０のうち、上側部抱持部材２０（２０Ｍ）は上下方向に進退可能な可動式の側部抱持部材で、下側部抱持部材２０は左右方向に移動可能な可動式の側部抱持部材２０ｐになっている。
上側部抱持部材２０Ｍは背面支持部材１０の後面側に設けられるスライド部材１６の上部又は下部に一体的に断面略Ｌ字形に形成され、スライド部材１６が背面支持部材１０の後面側に、スライド部材１６を上下方向に移動案内するためのガイド部材１８、及びスライド部材１６を上下方向任意の位置で固定するためのストッパー部材１４を介して配設されて、スライド部材１６により上下方向にスライド可能に取り付けられる。
この場合、スライド部材１６は、図４に示すように、支持ホルダ１の各部と同じ金属材料により、背面支持部材１０の後面の取付部材１２０の平面積よりも小さい略矩形状の平板に形成され、この平板の左右両側にそれぞれ、上下方向に延びる細長いスリット状の一対のガイド穴１６０が切り込み形成される。なお、このスライド部材１６は下部中央に略コ字形の溝１６１が形成される。また、このスライド部材１６の後面には、図３に示すように、背面支持部材１０の取付部材１２０に設けられるストッパー部材１４に係合可能なストッパー係合部材１７が設けられる。このストッパー係合部材１７はプラスチック材料により形成され、上下方向に長いプレート状に形成され、その一方の面にストッパー部材１４の係止突起１４３が係合可能な波形形状部１７１が形成される。このストッパー係合部材１７はスライド部材１６の後面中央の上部側にねじなどにより取り付けられる。このスライド部材１６は、図４に示すように、背面支持部材１０の後面に、各ガイド穴１６０の両側にスラストワッシャ１８０を介してスライド部材１６の各ガイド穴１６０から背面支持部材１０に挿通されてかしめられる一対のガイドピン１８１により、上下方向に摺動可能に組み立てられる。なお、この場合、一対のガイドピン１８１は２組設けられる。一方の組の各ガイドピン１８１は背面支持部材１０の上側部に近接する所定の位置に挿通され、スライド部材１６の各ガイド穴１６０の上縁部が衝接されてスライド部材１６の下方への移動が規制され、他方の組の各ガイドピン１８１は一方の組の各ガイドピン１８１の位置より下の所定の位置に挿通され、スライド部材１６の各ガイド穴１６０の下縁部が衝接されてスライド部材１６の上方への移動が規制される。
このようなスライド部材１６の上部に、図２に示すように、上側部抱持部材２０Ｍは略Ｌ字形に一体形成されて、スライド部材１６の上部から前方に所定の長さに延びる水平面２０１と、この水平面２０１の先端で下方に所定の長さに延びる垂直面２０２とからなる。この場合、背面支持部材１０と当該背面支持部材１０の上下両側部から突出される上下両側部抱持部材２０（の垂直面２０２）との間隔はタブレット型コンピュータに用いる各種の保護カバーの厚さを含んでタブレット型コンピュータの厚さに対応可能に、タブレット型コンピュータそれ自体の厚さよりも大きく設定される。また、垂直面２０２の長さはこの垂直面２０２がタブレット型コンピュータの正面側の上部縁部に係止可能に適宜の寸法が設定される。この上側部抱持部材２０Ｍの内面にクッション材２１が付着される。
このようにして上側部抱持部材２０Ｍは背面支持部材１０の上側部に背面支持部材１０の後面に摺動可能に配設されるスライド部材１６を介して上下方向に進退可能に配置され、背面支持部材１０後面のスライド部材１６のストッパー係合部材１７に対して背面支持部材１０の後面に取り付けられる取付部材１２０のストッパー部材１４が係合される。このようなストッパー係合部材１７とストッパー部材１４との係合により、上側部抱持部材２０Ｍを上方に引き上げたり下方に押し下げたりすると、この上側部抱持部材２０Ｍの動きに応じて、スライド部材１６のストッパー係合部材１７の波形形状部１７１に対してストッパー部材１４の係止突起１４３がアーム１４２のばね作用により弾性的に係脱され、そして、上側部抱持部材２０Ｍをある高さで停止すると、その位置でストッパー係合部材１７の波形形状部１７１に対してストッパー部材１４の係止突起１４３が弾性的に係合し、上側部抱持部材２０Ｍを当該高さに固定するようになっている。また、この場合、鍵を錠前ユニット１５の鍵穴１５０に差し込み所定の方向に回すことにより、ロックプレート１５１がストッパー部材１４の取付ベース１４１とアーム１４２との間に挿入されて、アーム１４２の前後方向の動きを規制し、スライド部材１６の上下方向の動き、すなわち上側部抱持部材２０Ｍをロックすることができる。
一方、下側部抱持部材２０は、図２に示すように、背面支持部材１０の後面側に回動可能に取り付けられ、先端が当該背面支持部材１０の下側部から突出される左右一対の回動アーム３１と、これらの回動アーム３１の先端に当該先端の回りを上下方向に回動可能に取り付けられ、前方に向けて略コ字形に突出される左右一対の抱持部材２０ｐとを有し、各回動アーム３１の回動位置により各抱持部材２０ｐ間の間隔を調整し、各抱持部材２０ｐの回動により各抱持部材２０ｐをタブレット型コンピュータの下側部に合わせて角度を調整するようになっている。この場合、一対の回動アーム３１はそれぞれ左右両側部支持部材３０の一対の回動アームと共通で、この回動アーム３１の説明については左右両側部支持部材３０の説明の中で併せて行う。一対の抱持部材２０ｐはそれぞれステンレスなどの金属材の平板を略コ字形の溝形に折曲形成され、片側一方の側面部に軸挿通穴２０３が穿たれる。この抱持部材２０ｐの内面にはクッション材２２が付着される。なお、この抱持部材２０ｐの溝幅は既述の背面支持部材１０と当該背面支持部材１０の上側部から突出される上側部抱持部材２０Ｍ（の垂直面２０２）との間隔に対応する。
【００１４】
図２に示すように、左右両側部支持部材３０は共に左右方向に変位可能な可動式の側部支持部材３０Ｍになっていて、下側部抱持部材２０（２０ｐ）とともに組み立てられる。
左右両側部支持部材３０は、背面支持部材１０の後面側に回動可能に取り付けられ、先端が当該背面支持部材１０の両側部から突出される一対の回動アーム３１と、これら一対の回動アーム３１の先端に当該先端の回りを上下方向に回動可能に取り付けられ、前方に向けて突出される支持アーム３２とからなり、各回動アーム３１の回動位置により左右両側部支持部材３０間の間隔を調整し、各支持アーム３２の回動により各支持アーム３２をタブレット型コンピュータの一方の側部に合わせて角度を調整するようになっている。
この場合、一対の回動アーム３１はそれぞれステンレスなどの金属材により細長い平板に形成され、両端部平面の所定の範囲が支持アーム３２及び抱持部材２０ｐの取付部でこの範囲の平面が両端部間の中間面に対して段差が付けられて中間面より高く、取付時の状態で言えば、中間面よりも前方に突き出された形状になっている。この一方の端部の平面に支持アーム３２を軸支するための軸挿通部３１１が穿たれ、他方の端部の平面に抱持部材２０ｐを軸支するための軸挿通部３１２が穿たれ、さらに、中間面で他方の端部側に回動アーム３１を相互に軸支するための軸挿通部３１３が穿たれる。一対の支持アーム３２はそれぞれステンレスなどの金属材の平板を略Ｌ字形に折曲形成され、折曲部を境に一方の側の平面部が取付部３２１で軸挿通部３２０が穿たれ、他方の側がタブレット型コンピュータのための支持部３２２になっている。この支持アーム３２の内面にはクッション材２３が付設される。このようにして各支持アーム３２は、図５に示すように、各回動アーム３１の一方の端部に相互の軸挿通部３２０、３１１を樹脂ワッシャ３６を介して合わせ軸３３を通してかしめることにより、当該端部の回りを上下方向に回動可能に取り付けられて前方に向けて突出される。各抱持部材２０ｐは、図２に示すように、各回動アーム３１の他方の端部に相互の軸挿通部２０３、３１２を合わせ軸３４を通して当該端部の回りを上下方向に回動可能に取り付けられて前方に向けて突出される。そして、これらの回動アーム３１は略Ｘ形に交差されて相互の軸挿通部３１３を摩擦抵抗を有するワッシャを介して合わせられ、背面支持部材１０の後面中央の下部側所定の位置から挿着固定された軸３５を通されて上下方向に回動可能に取り付けられる。このように各回動アーム３１、各支持アーム３２及び各抱持部材２０ｐが組み立てられて、各回動アーム３１の回動により左右両側の各支持アーム３２間の間隔及び各抱持部材２０ｐ間の間隔を調整し、各支持アーム３２及び各抱持部材２０ｐの回動により各支持アーム３２及び各抱持部材２０ｐをタブレット型コンピュータの各側部に合わせて角度を調整するようになっている。
【００１５】
また、この支持ホルダ１は、既述のとおり、背面支持部材１０と背面支持部材１０の上下両側部から突出される上下両側部抱持部材２０との間隔はタブレット型コンピュータに用いる各種の保護カバーの厚さを含んでタブレット型コンピュータの厚さよりも大きく設定されており、この支持ホルダ１では、タブレット型コンピュータを直接支持するときの間隔を調整するため、背面支持部材１０の支持面１１に、支持面１１とタブレット型コンピュータの背面との間に介在させる間隔調整部材４０を着脱可能に備える。この場合、間隔調整部材４０は、図６に示すように、取付プレート４１と、この取付プレート４１上に重ねて接合されるクッション材４２とより構成される。取付プレート４１は金属材又はプラスチック材により背面支持部材１０の支持面１１よりも小さい横長の長方形に形成され、その後面の中央に背面支持部材１０中央の係止穴１３に係合可能な係止部材４０１として、当該係止穴１３の円形の穴１３０に挿通可能に当該円形の穴１３０に対応する円形の軸４０２、及び軸４０２の端部の左右縁部から左右方向に突出する当該係止穴１３の各溝１３１に対応する突状部４０３が一体に形成される。クッション材４２はスポンジやウレタンなどにより取付プレート４１の平面と略同じ大きさで所定の厚さを有する板状に加工される。このクッション材４２は取付プレート４１の前面に接着剤を介して接合される。この間隔調整部材４０を背面支持部材１０の支持面１１に取り付ける場合、図２を参照すると、取付プレート４１を背面支持部材１０の支持面１１に向けた状態から、間隔調整部材４０を係止部材４０１と係止穴１３の形状を相互に合わせるように９０度回転させて、係止部材４０１を係止穴１３に挿通し、係止部材４０１を係止穴１３に挿通したら、この間隔調整部材４０を９０度戻す方向に回転し、係止部材４０１の左右の突状部４０３を係止穴１３の左右縁部に係止して、支持面１１に設置する。なお、この間隔調整部材４０の係止部材４０１が背面支持部材１０の係止穴１３に係止された場合、この係止部材４０１が背面支持部材１０の後面側のスライド部材１６の動作領域に突出されるが、スライド板１６の下部中央に既述のとおり略コ字形の溝１６１が形成されているので、係止部材４０１がスライド部材１６の動作に干渉することがない。間隔調整部材４０を背面支持部材１０の支持面１１から取り外す場合は、上記の取付操作と反対の操作を行えばよい。
【００１６】
このように支持ホルダ１は、タブレット型コンピュータの背面に対して当接可能な支持面１１を有し、支持装置に取り付けられる背面支持部材１０と、タブレット型コンピュータの上側部を抱持可能に形成され、上下方向に進退可能な可動式の側部抱持部材２０Ｍ、及び下側部を抱持可能に形成され、左右方向に移動可能な可動式の一対の側部抱持部材２０ｐからなる上下両側部抱持部材２０と、タブレット型コンピュータの左右両側部に当接支持可能に形成され、左右間の間隔を調整可能に外側に向けて変位可能な可動式の支持部材３０Ｍからなる左右両側部支持部材３０とを備え、背面支持部材１０が支持面１１を任意の方向に向けて支持装置に取り付けられ、タブレット型コンピュータを支持面１１上に上下両側部抱持部材２０及び左右両側部支持部材３０により支持固定する構造になっている。
なお、ここでは支持装置についての詳しい説明を省略するが、支持装置は本願出願人が先に出願した発明（特願２０１０−２４７５８２）のシステムレールユニットに用いられるシステムレールや支持アームが採用されることが好ましい。この場合、支持ホルダはシステムレールや支持アームの取付プレートにねじにより取り付けられる。また、この支持装置は既存の各種形式の支持アームが採用されてもよく、この場合、背面支持部材１０後面の取付面１２の構成が適宜変更され、支持アームの先端に周知の傾動式又は固定式の連結手段を介して取り付けられる。
【００１７】
図７及び図８を用いてこの支持ホルダ１の使い方を説明する。図７にこの支持ホルダ１にタブレット型コンピュータを保護カバーに入れたままセットする場合を示している。なお、保護カバーに入れたタブレット型コンピュータをセットする場合、間隔調整部材４０は使用しないため、支持ホルダ１から間隔調整部材４０を取り外しておく。この場合、まず、支持ホルダ１の上側部抱持部材２０Ｍを上方に必要な適宜の高さまで引き上げて、背面支持部材１０の上部を開放する。このとき、上側部抱持部材２０Ｍの動きに応じて、スライド部材１６が背面支持部材１０の後面側で上方に向けて摺動し、（図３参照）このスライド部材１６のストッパー係合部材１７の波形形状部１７１に対してストッパー部材１４の係止突起１４３がアーム１４２のばね作用により弾性的に係脱され、上側部抱持部材２０Ｍを適宜の高さで停止すると、その位置でストッパー係合部材１７の波形形状部１７１とストッパー部材１４の係止突起１４３が弾性的に係合し、上側部抱持部材２０Ｍが当該高さに固定される。続いて、必要に応じて、左右両側部支持部材３０Ｍを上下動させて、左右両側部支持部材３０Ｍ間の間隔をタブレット型コンピュータの幅程度又はそれより少し大きい幅に開いておく。この場合、各回動アーム３１を上方に向けて回動することにより、左右両側部支持部材３０Ｍ間の間隔を狭くすることができ、反対に、各回動アーム３１を下方に向けて回動することにより、左右両側部支持部材３０Ｍ間の間隔を広くすることができる。この状態で、タブレット型コンピュータを表示面を正面に向け、背面支持部材１０の支持面１１の上方から、左右両側部支持部材３０Ｍ間に差し込み、下側部抱持部材２０ｐに掛け、コンピュータの背面と背面支持部材１０の支持面１１を対接させる。続いて、必要があれば、左右両側部支持部材３０Ｍを少し上下動させて、左右両側部支持部材３０Ｍ間の間隔をタブレット型コンピュータの幅に合わせてコンピュータの両側部に当接させる。そして、上側部抱持部材２０Ｍを下方に押し下げて、上側部抱持部材２０Ｍの水平面２０１をコンピュータの上側部に当接させ、上側部抱持部材２０Ｍの垂直面２０２をコンピュータの正面の上部縁部に係止する。この状態は（図３参照）ストッパー係合部材１７の波形形状部１７１とストッパー部材１４の係止突起１４３との弾性的係合により固定される。これによりタブレット型コンピュータは背面支持部材１０の支持面１１上に上下両側部抱持部材２０及び左右両側部支持部材３０により支持固定され、支持装置により、コンピュータの設置面上に、コンピュータの表示面を正面、左右方向又は左右方向に斜めに、上下方向又は上下方向に斜めになど、表示面が見やすく、タッチパネルの操作も行いやすいユーザの求める任意の方向に向けて設置される。そして、この場合、可動式の支持装置を採用することにより、タブレット型コンピュータを使用するときにこのコンピュータをユーザの使いやすい所定の位置に任意の方向に向けて配置することができ、使用しないときはこのコンピュータを当該所定の位置から離れて邪魔にならない適宜の位置に移動することができる。また、この場合、（図３参照）必要に応じて錠前ユニット１５を使用し、支持ホルダ１に設置されたタブレット型コンピュータを使用者以外の者によって持ち出されることがないように、キーによって上側部抱持部材２０Ｍをロックすることにより、タブレット型コンピュータを支持ホルダ１にセットして放置していても、タブレット型コンピュータを支持ホルダ１から取り外すことはできず、ユーザの錯誤によるコンピュータの取り違いやコンピュータの盗難を確実に防止することができる。
また、この支持ホルダ１からタブレット型コンピュータを取り外す場合は上記と反対の操作を行えばよい。すなわち、錠前ユニット１５を使って上側部抱持部材２０Ｍをロックしている場合は、そのロックを解除する。続いて、支持ホルダ１の上側部抱持部材２０Ｍを上方に必要な適宜の高さまで引き上げて、背面支持部材１０の上部を開放する。このとき、左右両側部支持部材３０を上下動させ、左右両側部支持部材３０間の間隔をタブレット型コンピュータの幅よりも少し大きく開いておくとよい。そして、この状態で、タブレット型コンピュータを左右両側部支持部材３０の間から引き抜いて、支持ホルダ１から取り外す。
図８にこの支持ホルダ１にタブレット型コンピュータに保護カバーを用いず、タブレット型コンピュータそれ自体を直接セットする場合を示している。この場合、間隔調整部材４０を背面支持部材１０の支持面１１に取り付けて、タブレット型コンピュータを上記と同様にセットすればよい。このようにしてタブレット型コンピュータをセットすることにより、コンピュータは各抱持部材２０及び各支持部材３０と背面支持部材１０の支持面１１上の間隔調整部材４０に各抱持部材２０及び各支持部材３０のクッション材２１、２２、２３と間隔調整部材４０のクッション材４２とにより弾性的に接触して支持され、コンピュータの表面にキズが付いたりすることがなく保持される。この支持ホルダ１からコンピュータを取り外す場合、上記と同様に取り外せばよい。
【００１８】
以上説明したように、この支持ホルダ１及びこれを用いた支持装置では、タブレット型コンピュータの背面に対して当接可能な支持面１１を有し、支持装置に取り付けられる背面支持部材１０と、タブレット型コンピュータの上側部を抱持可能に形成され、上下方向に進退可能な可動式の側部抱持部材２０Ｍ、及び下側部を抱持可能に形成され、左右方向に移動可能な可動式の一対の側部抱持部材２０ｐからなる上下両側部抱持部材２０と、タブレット型コンピュータの左右両側部に当接支持可能に形成され、左右間の間隔を調整可能に外側に向けて変位可能な可動式の支持部材３０Ｍからなる左右両側部支持部材３０とを備え、背面支持部材１０が支持面１１を任意の方向に向けて支持装置に取り付けられ、タブレット型コンピュータを支持面１１上に上下両側部抱持部材２０及び左右両側部支持部材３０により支持固定するようにしたので、オフィス、工場、学校、家庭などで机や台の上、あるいは壁面、また、自動車他各種乗り物の内部を含むタブレット型コンピュータを設置しようとする各所の設置面に備え付ける各種形式の支持装置に台座として取り付けて、当該設置面上にタブレット型コンピュータを、このコンピュータの表示面をユーザが見やすく、タッチパネルの操作も行いやすい任意の方向に向けて設置することができる。そして、この場合、可動式の支持装置を採用することにより、タブレット型コンピュータを使用するときにこのコンピュータを机や台の上あるいは壁面上、また各種乗り物内の所定の位置にコンピュータの表示面をユーザの使いやすい所定の位置で任意の方向に向けて配置することができ、使用しないときはこのコンピュータを当該所定の位置から離れて邪魔にならない適宜の位置に移動することができる。
【００１９】
また、この支持ホルダ１及びこれを用いた支持装置によれば、特に、上側部抱持部材２０Ｍは背面支持部材１０の後面側に設けられるスライド部材１６の上部に一体的に断面略Ｌ字形に形成され、スライド部材１６が背面支持部材１０の後面側に、スライド部材１６を上下方向に移動案内するためのガイド部材１８、及びスライド部材１６を上下方向任意の位置で固定するためのストッパー部材１４を介して配設されて、スライド部材１６により上下方向にスライド可能に取り付けられるので、上側部抱持部材２０Ｍを上方に引き上げたり下方に押し下げたりして、この上側部抱持部材２０Ｍを任意の高さに固定することができ、上側部抱持部材２０Ｍを上方に必要な適宜の高さまで引き上げて、背面支持部材１０の上部を開放することにより、この支持ホルダ１にタブレット型コンピュータの取り付け、取り外しを容易に行うことができ、また、上側部抱持部材２０Ｍを、タブレット型コンピュータの大きさが異なる場合でも、タブレット型コンピュータの高さに合わせて押し下げ、コンピュータの上側部を確実に押え支持することができる。
【００２０】
さらに、この支持ホルダ１及びこれを用いた支持装置によれば、特に、左右両側部支持部材３０は、背面支持部材１０の後面側に回動可能に取り付けられ、先端が当該背面支持部材１０の両側部から突出される一対の回動アーム３１と、各回動アーム３１の先端に当該先端の回りを上下方向に回動可能に取り付けられ、前方に向けて突出される一対の支持アーム３２とを有し、各回動アーム３１の回動位置により左右両側部支持部材３０間の間隔を調整し、各支持アーム３２の回動により各支持アーム３２をタブレット型コンピュータの一方の側部に合わせて角度を調整するようにしたので、左右両側部支持部材３０間の間隔を、タブレット型コンピュータの大きさが異なる場合でも、タブレット型コンピュータの幅に合わせて調整し、左右両側部支持部材３０でコンピュータの両側部を確実に支持することができる。
【００２１】
またさらに、この支持ホルダ１及びこれを用いた支持装置によれば、特に、少なくとも上側部抱持部材２０Ｍが背面支持部材１０の上部から前方に向けて突出され、タブレット型コンピュータの上側部を抱持可能な位置で上側部抱持部材２０Ｍの動きを規制して施錠する施錠部材１５を備え、支持ホルダ１に設置されたタブレット型コンピュータを使用者以外の者によって持ち出されることがないように、キーによって上側部抱持部材２０Ｍを固定するようにしたので、タブレット型コンピュータを支持ホルダ１にセットしたまま放置していても、タブレット型コンピュータを支持ホルダ１から取り外すことができないため、ユーザ同士の錯誤によるコンピュータの取り違いやコンピュータの盗難を確実に防止することができる。
【００２２】
またさらに、この支持ホルダ１及びこれを用いた支持装置によれば、特に、背面支持部材１０と当該背面支持部材１０の上下両側部から突出される上下両側部抱持部材２０との間隔はタブレット型コンピュータに用いる各種の保護カバーの厚さを含んでタブレット型コンピュータの厚さよりも大きく設定され、タブレット型コンピュータを直接支持するときの間隔を調整するため、背面支持部材１０の支持面１１に、支持面１１とタブレット型コンピュータの背面との間に介在させる間隔調整部材４０を着脱可能に備えるので、この間隔調整部材４０により、タブレット型コンピュータに保護カバーを用いない場合でも、タブレット型コンピュータを直接、支持ホルダ１に上記と同様に支持固定して、上記と同様の効果を奏することができる。
【００２３】
なお、この実施の形態では、下側部抱持部材２０を左右方向に移動可能な可動式の抱持部材２０ｐとしたが、この下側部抱持部材２０は背面支持部材１０の下側部に固定されてもよい。また、上側部抱持部材２０Ｍと下側部抱持部材２０が反対の構成であってもよい。このようにしても上記と同様の作用効果を得ることができる。
また、左右両側部支持部材３０は一対の回動アーム３１と一対の支持アーム３２とにより外側に向けて変位可能に構成されているが、一方の側部支持部材３０のみが回動アーム３１と支持アーム３２とにより外側に向けて変位可能に構成され、他方の側部支持部材３０が背面支持部材１０の他方の側部に固定されてもよい。このようにしても上記と同様の作用効果を得ることができる。
【００２４】
また、この実施の形態では、上下両側部抱持部材２０の可動式の側部抱持部材２０Ｍが背面支持部材１０の後面側に設けられるスライド部材１６の上部又は下部に一体的に断面略Ｌ字形に形成され、スライド部材１６が背面支持部材１０の後面側に、スライド部材１６を上下方向に移動案内するためのガイド部材１８、及びスライド部材１６を上下方向任意の位置で固定するためのストッパー部材１４を介して配設されて、スライド部材１６により上下方向にスライド可能に取り付けられているが、この可動式の側部抱持部材は断面略Ｌ字形の単体からなり、背面支持部材の上部又は下部にヒンジを介して前後方向に回動可能に取り付けられるようにしてもよい。そして、この場合、この可動式の側部抱持部材が少なくとも背面支持部材の上部又は下部から前方に向けて突出され、タブレット型コンピュータの上側部を抱持可能な位置で、側部抱持部材の回動を規制して施錠する施錠部材を併せて備えてもよい。このようにしても上記と同様の作用効果を得ることができる。
さらに、左右両側部支持部材３０の可動式の側部支持部材３０Ｍは、背面支持部材１０の後面側に回動可能に取り付けられ、先端が当該背面支持部材１０の一方の側部から突出される回動アーム３１と、回動アーム３１の先端に当該先端の回りを上下方向に回動可能に取り付けられ、前方に向けて突出される支持アーム３２とを有し、回動アーム３１の回動位置により左右両側部支持部材３０間の間隔を調整し、支持アーム３２の回動により支持アーム３２をタブレット型コンピュータの一方の側部に合わせて角度を調整するようにしたが、この可動式の側部支持部材は、背面支持部材の後面側にスライド可能に取り付けられ、先端が当該背面支持部材の一方の側部から突出されるスライドアームと、スライドアームの先端に前方に向けて突出される支持アームとを有し、スライドアームのスライド位置により左右両側部支持部材間の間隔を調整するようにしてもよい。このようにしても上記と同様の作用効果を得ることができる。
【符号の説明】
【００２５】
１  タブレット型コンピュータ用支持ホルダ
１０  背面支持部材
１１  支持面
１２  取付面
１２０  取付部材
１２１  取付部
１２２  支持固定部
１２３  開口
１３  係止穴
１３０  円形の穴
１３１  溝
１４  ストッパー部材
１４１  取付ベース
１４２  アーム
１４３係止突起
１５  施錠部材（錠前ユニット）
１５０  鍵穴
１５１  ロックプレート
１６  スライド部材
１６０  ガイド穴
１６１  溝
１７  ストッパー係合部材
１７１  波形形状部
１８  ガイド部材
１８０  スラストワッシャ
１８１  ガイドピン
２０  上下両側部抱持部材
２０Ｍ  可動式の側部抱持部材
２０１  水平面
２０２  垂直面
２０ｐ  抱持部材
２０３  軸挿通穴
２１  クッション材
２２  クッション材
２３  クッション材
３０  左右両側部支持部材
３０Ｍ  可動式の側部支持部材
３１  回動アーム
３１１  軸挿通部
３１２  軸挿通部
３１３  軸挿通部
３２  支持アーム
３２０  軸挿通部
３２１  取付部
３２２  支持部
３３  軸
３４  軸
３５  軸
３６  樹脂ワッシャ
４０  間隔調整部材
４１  取付プレート
４０１  係止部材
４０２  軸
４０３  突状部
４２  クッション材
【図１】
0005509136.tif 000002
【図２】
0005509136.tif 000003
【図３】
0005509136.tif 000004
【図４】
0005509136.tif 000005
【図５】
0005509136.tif 000006
【図６】
0005509136.tif 000007
【図７】
0005509136.tif 000008
【図８】
0005509136.tif 000009